(57)【特許請求の範囲】
【請求項１】
要介護者の臀部を支持する臀受け部と、前記臀部より上半身部分を支持する上半身受け部と、前記臀部より下半身部分を支持する下半身受け部と、を有するマット体と、
該マット体を支持するベッド枠体と、
前記臀受け部が下方に収納されることにより形成される開口部に移動可能な便器装置と、
を備え、
前記下半身受け部は、前記要介護者の大腿部を支持する大腿受け部を備え、該大腿受け部が上昇することにより前記大腿部を持ち上げるように構成されており、
前記大腿受け部は左右に分割可能に設けられ、前記大腿受け部を左右に離間又は近接する方向にスライドさせる左右スライド装置を備え、大腿部を持ち上げる際、前記左右スライド装置が前記各大腿受け部を互いに左右に離間する方向にスライドさせることを特徴とする介護用ベッド。
【請求項２】
前記大腿受け部を上昇させる大腿受け部駆動機構を備え、該大腿受け部駆動機構は、前記大腿受け部を下方から支持するロッドを伸縮させる昇降装置と、該昇降装置の下部を頭部側又は足元側にスライドさせるスライド装置と、を備え、前記大腿部を持ち上げる際、前記昇降装置が前記ロッドを伸長させると共に前記スライド装置が前記昇降装置の下部を足元側にスライドさせることにより、前記大腿受け部を頭部側に傾動させながら上昇させることを特徴とする請求項１に記載の介護用ベッド。
【請求項３】
前記臀受け部の左右外側部分は頭部側部分と足元側部分とに分割され、前記大腿受け部が上昇する際に、前記頭部側部分と前記足元側部分との枢結部が上昇し、前記臀受け部の左右外側部分が山折り形状となり、前記大腿受け部との間に隙間が生じることを特徴とする請求項１又は２に記載の介護用ベッド。
【請求項４】
前記ベッド枠体の前記臀受け部を支持する部分を下方に巻き取りながら頭部側に移動することにより前記臀受け部を下方に収納する臀受け部収納装置を備えていることを特徴とする請求項１〜３のいずれか１の請求項に記載の介護用ベッド。
【請求項５】
前記便器装置は、上方に開口を有する容器と、該容器内に収容されて上方を開閉可能なビニル袋と、前記容器の足元側において昇降可能で上端に吸引口を有する尿吸引器と、を備え、前記要介護者が男性の場合には前記尿吸引器の吸引口を前記容器の上方まで上昇させ、前記要介護者が女性の場合には前記ビニル袋の足元側部分を前記容器の上方まで上昇させることを特徴とする請求項１〜４のいずれか１の請求項に記載の介護用ベッド。
【請求項６】
前記容器の上端の頭部側に設けられる頭部側フックと、前記容器の足元側に設けられて前記尿吸引器と共に昇降する足元側フックとに前記ビニル袋の把手を引っ掛けることにより、該ビニル袋が前記容器内に収容されることを特徴とする請求項５に記載の介護用ベッド。
【請求項７】
前記頭部側フックは足元側にスライド可能に設けられていることを特徴とする請求項６に記載の介護用ベッド。
【請求項８】
前記容器の底部には、前記尿吸引器又は前記足元側フックの上昇動作に伴って足元側部分が上昇して傾斜姿勢を成す底板が設けられていることを特徴とする請求項５〜７のいずれか１の請求項に記載の介護用ベッド。
【請求項９】
要介護者を吊り上げ移動させるための要介護者吊り上げ移動装置を備え、該要介護者吊り上げ移動装置は、前記ベッド枠体に固定される支柱と、支柱に左右側方及び上下に回転可能に支持されるアームと、該アームの先端に取り付けられる吊り上げ具と、該吊り上げ具に着脱自在に取り付けられ該吊り上げ具を介して前記アームに吊り上げられる要介護者保持具とを備えていることを特徴とする請求項１〜８のいずれか１の請求項に記載の介護用ベッド。
【請求項１０】
前記吊り上げ具は、鉛直姿勢で平行に設けられた鉛直フレームと、該各鉛直フレームの上端部と前記アームとの間に掛け渡された吊りロープと、前記各鉛直フレームの間に介装された背板と、前記各鉛直フレームの下端に接続されたスプリングと、を備えていることを特徴とする請求項９に記載の介護用ベッド。
【請求項１１】
前記要介護者保持具は、要介護者の正面側に配置されるぬいぐるみと、該ぬいぐるみの両肩部分からそれぞれ前後方向に水平に延出して要介護者の脇の下を支持する腕部と、前記スプリングの下端部に連結されて要介護者の大腿部を支持する大腿受け部と、を備えていることを特徴とする請求項９又は１０に記載の介護用ベッド。
【請求項１２】
前記要介護者保持具は、前記ぬいぐるみの左右下端部からそれぞれ後方に水平に延出する脚部を備え、前記大腿受け部は、円筒形状のスポンジ材と、該スポンジ材に挿通されて前記スプリングの下端部に連結されるベルトとを備え、前記各脚部の後端部にはそれぞれ前記ベルトに掛止可能なフック部が設けられていることを特徴とする請求項１１に記載の介護用ベッド。
【発明の詳細な説明】
【技術分野】
【０００１】
本発明は、要介護者のための介護用ベッドに関し、特に、便器を備えた介護用ベッドに関するものである。
【背景技術】
【０００２】
従来、ベッドに寝た切りの身体障害者や老人等の要介護者の介護を行う際には、看護士等の介護者に多大な労力の負担を掛けている。そこで、近年、この介護者の労力負担を軽減するため、各種介護用ベッドが提案されている。
【０００３】
この種の従来の介護用ベッドとしては、例えば、ベッドに寝ている要介護者がスイッチ操作を行うことにより、使用時には要介護者の臀部に対応する位置に開口部が形成され、この開口部に便器が移動されてセットされる一方、不使用時には、その開口部をマットで閉塞させる介護用ベッドが知られている（例えば、特許文献１参照）。
【先行技術文献】
【特許文献】
【０００４】
【特許文献１】特開２００１−２１２１８６号公報
【発明の概要】
【発明が解決しようとする課題】
【０００５】
しかしながら、上記した従来の介護用ベッドでは、要介護者が排便時に排便し易い姿勢を取ることができないため、要介護者が容易に排便をすることができないといった問題や、排便時の姿勢がつらいといった問題があった。
【０００６】
一方、介護者が要介護者の腸内洗浄を行う際、マットの上に載って無理な姿勢を取らなければならないため、介護者が腸内洗浄作業を行い難いといった問題や、腸内洗浄作業時にマット等を汚すおそれがあるといった問題などもあった。
【０００７】
本発明は、上記した課題を解決すべくなされたものであり、要介護者が容易且つ楽な姿勢で排便を行うことができると共に、介護者が腸内洗浄作業を容易に行うことができ、腸内洗浄作業時にマット等を汚すおそれのない介護用ベッドを提供することを目的とするものである。
【課題を解決するための手段】
【０００８】
上記した目的を達成するため、本発明に係る介護用ベッドは、要介護者の臀部を支持する臀受け部と、前記臀部より上半身部分を支持する上半身受け部と、前記臀部より下半身部分を支持する下半身受け部と、を有するマット体と、該マット体を支持するベッド枠体と、前記臀受け部が下方に収納されることにより形成される開口部に移動可能な便器装置と、を備え、前記下半身受け部は、前記要介護者の大腿部を支持する大腿受け部を備え、該大腿受け部が上昇することにより前記大腿部を持ち上げるように構成されていることを特徴とする。
【０００９】
そして、本発明に係る介護用ベッドは、前記大腿受け部を上昇させる大腿受け部駆動機構を備え、該大腿受け部駆動機構は、前記大腿受け部を下方から支持するロッドを伸縮させる昇降装置と、該昇降装置の下部を頭部側又は足元側にスライドさせるスライド装置と、を備え、前記大腿部を持ち上げる際、前記昇降装置が前記ロッドを伸長させると共に前記スライド装置が前記昇降装置の下部を足元側にスライドさせることにより、前記大腿受け部を頭部側に傾動させながら上昇させることを特徴とする。
【００１０】
また、本発明に係る介護用ベッドにおいて、前記大腿受け部は左右に分割可能に設けられ、前記大腿受け部を左右に離間又は近接する方向にスライドさせる左右スライド装置を備え、大腿部を持ち上げる際、前記左右スライド装置が前記各大腿受け部を互いに左右に離間する方向にスライドさせることを特徴とする。
【００１１】
さらに、本発明に係る介護用ベッドにおいて、前記臀受け部の左右外側部分は頭部側部分と足元側部分とに分割され、前記大腿受け部が上昇する際に、前記頭部側部分と前記足元側部分との枢結部が上昇し、前記臀受け部の左右外側部分が山折り形状となり、前記大腿受け部との間に隙間が生じることを特徴とする。
【００１２】
さらに、本発明に係る介護用ベッドにおいて、前記ベッド枠体の前記臀受け部を支持する部分を下方に巻き取りながら頭部側に移動することにより前記臀受け部を下方に収納する臀受け部収納装置を備えていることを特徴とする。
【００１３】
さらに、本発明に係る介護用ベッドにおいて、前記便器装置は、上方に開口を有する容器と、該容器内に収容されて上方を開閉可能なビニル袋と、前記容器の足元側において昇降可能で上端に吸引口を有する尿吸引器と、を備え、前記要介護者が男性の場合には前記尿吸引器の吸引口を前記容器の上方まで上昇させ、前記要介護者が女性の場合には前記ビニル袋の足元側部分を前記容器の上方まで上昇させることを特徴とする。
【００１４】
さらに、本発明に係る介護用ベッドにおいて、前記容器の上端の頭部側に設けられる頭部側フックと、前記容器の足元側に設けられて前記尿吸引器と共に昇降する足元側フックとに前記ビニル袋の把手を引っ掛けることにより、該ビニル袋が前記容器内に収容されることを特徴とする。
【００１５】
さらに、本発明に係る介護用ベッドにおいて、前記頭部側フックは足元側にスライド可能に設けられていることを特徴とする。
【００１６】
さらに、本発明に係る介護用ベッドにおいて、前記容器の底部には、前記尿吸引器又は前記足元側フックの上昇動作に伴って足元側部分が上昇して傾斜姿勢を成す底板が設けられていることを特徴とする。
【００１７】
さらに、本発明に係る介護用ベッドにおいて、要介護者を吊り上げ移動させるための要介護者吊り上げ移動装置を備え、該要介護者吊り上げ移動装置は、前記ベッド枠体に固定される支柱と、支柱に左右側方及び上下に回転可能に支持されるアームと、該アームの先端に取り付けられる吊り上げ具と、該吊り上げ具に着脱自在に取り付けられ該吊り上げ具を介して前記アームに吊り上げられる要介護者保持具とを備えていることを特徴とする。
【００１８】
さらに、本発明に係る介護用ベッドにおいて、前記吊り上げ具は、鉛直姿勢で平行に設けられた鉛直フレームと、該各鉛直フレームの上端部と前記アームとの間に掛け渡された吊りロープと、前記各鉛直フレームの間に介装された背板と、前記各鉛直フレームの下端に接続されたスプリングと、を備えていることを特徴とする。
【００１９】
さらに、本発明に係る介護用ベッドにおいて、前記要介護者保持具は、要介護者の正面側に配置されるぬいぐるみと、該ぬいぐるみの両肩部分からそれぞれ前後方向に水平に延出して要介護者の脇の下を支持する腕部と、前記スプリングの下端部に連結されて要介護者の大腿部を支持する大腿受け部と、を備えていることを特徴とする。
【００２０】
さらに、本発明に係る介護用ベッドにおいて、前記要介護者保持具は、前記ぬいぐるみの左右下端部からそれぞれ後方に水平に延出する脚部を備え、前記大腿受け部は、円筒形状のスポンジ材と、該スポンジ材に挿通されて前記スプリングの下端部に連結されるベルトとを備え、前記各脚部の後端部にはそれぞれ前記ベルトに掛止可能なフック部が設けられていることを特徴とする。
【発明の効果】
【００２１】
本発明によれば、要介護者が容易且つ楽な姿勢で排便を行うことができると共に、介護者が腸内洗浄作業を容易に行うことができ、腸内洗浄作業時にマット等を汚すおそれのない介護用ベッドを提供することができる。
【図面の簡単な説明】
【００２２】
【図１】本発明の実施の形態に係る介護用ベッドを示す平面図である。
【図２】本発明の実施の形態に係る介護用ベッドを示す側面図である。
【図３】本発明の実施の形態に係る介護用ベッドにおいて要介護者が排泄をする時の状態を示す平面図である。
【図４】本発明の実施の形態に係る介護用ベッドにおいて要介護者が排泄をする時の状態を示す側面図である。
【図５】本発明の実施の形態に係る介護用ベッドの便器装置を示す平面図である。
【図６】本発明の実施の形態に係る介護用ベッドの便器装置を示す断面図である。
【図７】本発明の実施の形態に係る介護用ベッドの要介護者吊り上げ移動装置を示す背面図である。
【図８】本発明の実施の形態に係る介護用ベッドの要介護者吊り上げ移動装置を示す側面図である。
【発明を実施するための形態】
【００２３】
以下、図面を参照しつつ、本発明の実施の形態について説明する。
【００２４】
図１及び図２に示されているように、本発明の実施の形態に係る介護用ベッド１は、マット体２と、マット体２を支持するベッド枠体３と、マット体２の下方に設けられる便器装置４と、ベッド枠体３の頭部側に取り付けられる要介護者吊り上げ移動装置５とを備えて構成されている。
【００２５】
マット体２は、介護用ベッド１に横たわった要介護者Ｐの臀部を支持する臀受け部６と、前記臀部より上半身部分を支持する上半身受け部７と、前記臀部より下半身部分を支持する下半身受け部８と、に分割されている。
【００２６】
臀受け部６は、中央部分９と、左右外側部分１０，１１とに分割され、中央部分９はマット体２の下方に収納可能なように形成されている。さらに、左右外側部分１０，１１は、それぞれ、頭部側部分１０ａ，１１ａと、足元側部分１０ｂ，１１ｂと、頭部側部分１０ａ，１１ａと足元側部分１０ｂ，１１ｂとの枢結部１０ｃ，１１ｃと、に分割されており、各枢結部１０ｃ，１１ｃが上昇することにより、頭部側部分１０ａ，１１ａと足元側部分１０ｂ，１１ｂとが傾斜し、左右外側部分１０，１１が山折り形状となるように形成されている。
【００２７】
上半身受け部７は、介護用ベッド１に横たわった要介護者Ｐの頭部を支持する頭受け部１２と、要介護者Ｐの胴部を支持する胴受け部１３と、に分割されて構成されている。そして、頭受け部１２は取り外し可能に設けられ、胴受け部１３の中央部分１３ａはその左右両側部分１３ｂ，１３ｃより僅かに凹んで形成されている。また、上半身受け部７は、図示しない駆動源及び伝達機構を介して、足元側部分を支点に回動可能に設けられており（図４参照）、この駆動源としては、モータやアクチュエータ等の電動式或いは空圧式等の各種駆動源を使用可能であり、また、伝達機構としては、リンク機構や歯車、ベルト等を使用可能であるが、いずれも従来の公知技術により実現可能であるため、ここでは詳細な説明を省略する。
【００２８】
下半身受け部８は、介護用ベッド１に横たわった要介護者Ｐの大腿部を支持する大腿受け部１４と、要介護者Ｐの下腿部を支持する下腿受け部１５と、に分割されて構成されている。大腿受け部１４は、さらに左右の大腿受け部１４ａ，１４ｂに分割され、左右の大腿受け部１４ａ，１４ｂはお互いに左右に離間又は近接する方向にスライド可能且つ頭部側に傾動しながら上昇可能なように構成されている。また、下腿受け部１５は、左右外側部分１５ａ，１５ｂと中央部分１５ｃとに分割され、中央部分１５ｃは取り外し可能に形成されている。
【００２９】
ベッド枠体３は、内部に空間１６を有するように金属製角パイプを外周に配設することにより形成されている。ベッド枠体３の頭部側にはヘッドボード１７が取り付けられ、ベッド枠体３の四隅の下部にはそれぞれ脚部１８が高さ調整可能なように取り付けられている。そして、ベッド枠体３の空間１６には、頭部側から順に、洗面装置１９、臀受け部収納装置２０、臀受け部の左右外側部分駆動装置２１、及び大腿受け部駆動機構２２が配設されている。
【００３０】
洗面装置１９は、頭受け部１２の下方に配置される洗面器２３と、洗面器２３の下方に配置されるバケツ２４とを備えて構成されており、洗面器２３の排水管２５がバケツ２４上で開放されている。そして、洗面器２３は、マット体２の頭受け部１２を取り外すことにより使用できるようになっている。
【００３１】
臀受け部収納装置２０は、アクチュエータ等の駆動源により頭部側又は足元側にスライドするスライド装置２６と、臀受け部６を支持する部分２７を下方に巻き取り可能な巻き取り装置２８とを備えて構成されている。
【００３２】
左右外側部分駆動装置２１は、マット体２の頭部側部分１０ａ，１１ａと足元側部分１０ｂ，１１ｂとの各枢結部１０ｃ，１１ｃの下方にそれぞれ設けられ、各枢結部１０ｃ，１１ｃを昇降させるアクチュエータ等により構成されている。
【００３３】
大腿受け部駆動機構２２は、大腿受け部１４を下方から支持するロッド２９を伸縮させる昇降装置３０と、この昇降装置３０の下部を頭部側又は足元側にスライドさせるスライド装置３１と、を備えて構成されており、昇降装置３０がロッド２９を伸長させると共にスライド装置３１が昇降装置３０の下部を足元側にスライドさせることにより、大腿受け部１４を頭部側に傾動させながら上昇させることができるようになっている。また、大腿受け部駆動機構２２は、各大腿受け部１４ａ，１４ｂを左右に離間又は近接する方向にスライドさせる左右スライド装置（図示省略）をさらに備えている。
【００３４】
図５及び図６に示されているように、便器装置４は、上方に開口を有するポリエチレン製でバケツ状の容器３３と、舟形状の内容器７１を介して容器３３内に収容されて上方を開閉可能なビニル袋３４と、容器３３の足元側において昇降可能で上端に吸引口４０を有する尿吸引器３５と、尿吸引器３５を昇降させる尿吸引器昇降装置３６と、を備えて構成されている。そして、便器装置４は、臀受け部６の下方から足元側に平行に延出する２本のレール３７に沿ってスライド可能に設けられており、このレール３７はベッド枠体３の足元側から外側に引き出し可能となっている（図２〜図４参照）。
【００３５】
容器３３の上端には、足元側と頭部側の方向にスライド可能なように横架材３８が設けられ、この横架材３８の上面には左右２か所に頭部側フック３９がそれぞれ設けられている。また、容器３３の上方には、左右に分割された台座（図示省略）が左右に離間又は近接する方向にスライド可能に設けられており、要介護者Ｐの排泄時には、この台座により要介護者Ｐの臀部を支持できるようになっている。
【００３６】
尿吸引器３５は、蛇腹ホース製で、上端の吸引口４０が頭部側に向かって水平姿勢を成すように角パイプ状の支持部材４１によって支持されている。そして、尿吸引器３５は、この支持部材４１に支持された状態で尿吸引器昇降装置３６により平行なガイドレール３２に沿って容器３３の上方に上昇し、尿吸引器３５の下端の開口４２が容器３３内に収容されたビニル袋３４上で開放されるようになっている。なお、尿吸引器３５の下端の開口４２は、別体のバキューム式装置（図示省略）に接続したり、或いは、専用の容器（図示省略）に流すようにしたりしてもよい。
【００３７】
また、支持部材４１の頭部側には左右２か所に足元側フック４３がそれぞれ設けられており、頭部側フック３９と足元側フック４３とにビニル袋３４の把手４４を引っ掛けることにより、ビニル袋３４が容器３３内に収容されるようになっている。ビニル袋３４としては、スーパーやコンビニ等で買い物をした時に提供されるビニル袋を使用することができ、ビニル袋３４の内部には吸水性の良い使い捨て用便処理材４５が設けられている。
【００３８】
容器３３の底部には底板４６が設けられ、この底板４６の頭部側端部４６ａにはローラ４７が枢設されており、底板４６の足元側端部（図示省略）は支持部材４１に枢設されている。これにより、支持部材４１に支持された尿吸引器３５の上昇動作に伴って、底板４６の前記足元側部端部が上昇すると共に頭部側端部４６ａが足元側に移動することにより、底板４６が傾斜姿勢を成すように構成されている。
【００３９】
要介護者吊り上げ移動装置５は、鉛直姿勢で下端部がベッド枠体３の頭部側角部に立設される伸縮自在の支柱４８と、支柱４８の上端部に片持ち支持され、左右側方及び上下に回転可能なアーム４９と、アーム４９の先端に取り付けられる吊り上げ具５０と、図示しない駆動装置の駆動により吊り上げ具５０を介してアーム４９に吊り上げられる要介護者保持具５１とを備えて構成されている。
【００４０】
支柱４８は、図１及び図３において二点鎖線で示されているように、マット体２から離間する側方にスライド可能に設けられている。
【００４１】
吊り上げ具５０は、鉛直姿勢で平行に設けられた鉛直フレーム５２と、各鉛直フレーム５２の上端部とアーム４９との間に掛け渡された吊りロープ５３と、各鉛直フレーム５２の間に介装された背板５４と、各鉛直フレーム５２の下端に接続されたスプリング５５と、を備えて構成されており、背板４９の表面はスポンジ等のクッション材（図示省略）により覆われている。
【００４２】
要介護者保持具５１は、要介護者Ｐの正面側に配置されるぬいぐるみ５６と、ぬいぐるみ５６の両肩部分からそれぞれ前後方向に水平に延出して要介護者Ｐの脇の下を支持する腕部５７と、ぬいぐるみ５６の左右下端部からそれぞれ後方に水平に延出する脚部５８，５９と、スプリング５５の下端部に連結されて要介護者Ｐの大腿部を支持する大腿受け部６０と、を備えている。
【００４３】
ぬいぐるみ５６は、パンダ、熊、ゴリラ、さる、豚等の形状を有しており、要介護者Ｐに正面を向けるように設けられている。
【００４４】
腕部５７は、前後方向に平行に延出する筒状の左右外フレーム６１，６２と、左右外フレーム６１，６２の内部に前後方向にスライド可能に貫挿される平面視コの字状の内フレーム６３と、を有し、ぬいぐるみ５６の両肩部を支点に鉛直方向（図８の矢印方向）に９０度回転可能に設けられている。また、腕部５７の内フレーム６３は、左右外フレーム６１，６２との間に介装されたスプリング（図示省略）を介して左右外フレーム６１，６２に対しての前方に付勢されており、左右後端部にはそれぞれ結合部材６４，６５が取り付けられ、この結合部材６４，６５は背板５４の左右両端に掛脱自在に設けられている。これにより、内フレーム６３の前端部を前記スプリングの付勢力に抗して後方に押圧して左右外フレーム６１，６２に対して後方にスライドさせると、結合部材６４，６５が左右外フレーム６１，６２の後端から突出し、結合部材６４，６５が背板５４の左右両端に掛止することにより腕受け部５７が吊り上げ具５０に固定されるようになっている。さらに、腕部５７は、ダイヤル式の操作部（図示省略）を左右に回転させることにより前フレーム６３が左右に伸縮するように形成されており、吊り上げる要介護者Ｐの肩幅に合わせて左右方向の幅を調整できるようになっている。
【００４５】
大腿受け部６０は、円筒形状のスポンジ材６８と、スポンジ材６８に挿通されて両端部にそれぞれ連結具（図示省略）が取り付けられた帯状のベルト７０とを備えており、各連結具はスプリング５５の下端部に着脱可能となっている。
【００４６】
左右の脚部５８，５９の後端部にはそれぞれフック部６６，６７が取り付けられており、このフック部６６，６７はベルト７０に掛止可能となっている。
【００４７】
このような構成を備えた要介護者保持具５１により要介護者を吊り上げて移動させる場合、要介護者Ｐがぬいぐるみ５６に対峙するように要介護者Ｐの上半身部分をぬいぐるみ５６と背板５４との間に入れ、要介護者Ｐの両脇の下に腕部５７の左右フレーム６１，６２をそれぞれ配置すると共に、要介護者Ｐの臀部の下にスポンジ材６８を配置する。そして、この状態で要介護者Ｐを吊り上げると、要介護者Ｐは前傾し、ぬいぐるみを抱きかかえた姿勢となり、要介護者Ｐを所望な位置に安全且つ確実に移動させることができる。また、要介護者Ｐの吊り上げ時、要介護者Ｐの正面にぬいぐるみ５６が接触し、背面に背板５４の表面を覆うクッション材が接触し、臀部にスポンジ材６８が接触すると共に、スプリング５５により要介護者Ｐの座高に合わせて要介護者保持具５１の高さが調整されるため、要介護者Ｐに不快感を与えることはない。
【００４８】
次に、図面を参照しつつ、上記した構成を備えた介護用ベッド１の動作について説明する。
【００４９】
先ず、要介護者Ｐが排泄する時の介護用ベッド１の動作について説明すると、リモートコントローラ（図示省略）から排泄用の操作釦が選択されることにより、図３及び図４に示されているように、前記駆動源及び伝達機構が足元側部分を支点に上半身受け部７を上方（図４の反時計回り方向）に回転させ、要介護者Ｐの上半身部分が起こされる。
【００５０】
また、大腿受け部駆動機構２２の昇降装置３０がロッド２９を伸長させると共にスライド装置３１が昇降装置３０の下部を足元側にスライドさせることにより左右の大腿受け部１４ａ，１４ｂがそれぞれ頭部側に傾動しながら上昇する。さらに、前記左右スライド装置が左右の大腿受け部１４ａ，１４ｂをお互いに左右に離間する方向にスライドさせることにより、要介護者Ｐの大腿部は持ち上げられながら左右に開脚される。
【００５１】
また、この時、左右外側部分駆動装置２１が頭部側部分１０ａ，１１ａと足元側部分１０ｂ，１１ｂとの各枢結部１０ｃ，１１ｃを上昇させることにより、頭部側部分１０ａ，１１ａと足元側部分１０ｂ，１１ｂとが傾斜し、左右外側部分１０，１１はそれぞれ山折り形状となり、臀受け部６の左右外側部分１０，１１と上半身受け部７の足元側部分及び左右の大腿受け部１４ａ，１４ｂの頭部側部分との間にそれぞれ隙間が生じる。これにより、上記した上半身受け部７の回転動作及び左右の大腿受け部１４ａ，１４ｂの上昇動作を円滑且つ確実に行わせることができる。
【００５２】
さらに、臀受け部収納装置２０のスライド装置２６が頭部側にスライドしながら巻き取り装置２８が臀受け部６を支持する部分２７を下方に巻き取ることにより、臀受け部６の中央部分９の下方に開口が形成され、この開口を介して空間１６に臀受け部６の中央部分９が垂下される。
【００５３】
また、この時、下腿受け部１５の中央部分１５ｃを取り外し、便器装置４をレール３７に沿って前記開口の下方までスライドさせて所定位置にセットし、尿吸引器昇降装置３６により尿吸引器３５を容器３３の上方に上昇させる。そして、要介護者Ｐの臀部を便器装置４の台座上に載せ、要介護者Ｐが男性の場合には尿吸引器３５の吸引孔４０に男性の性器を挿入させた上で、要介護者Ｐに排泄姿勢を取らせ、ビニル袋３４内に排泄を行わせる。
【００５４】
この場合、要介護者Ｐは左右の大腿受け部１４ａ，１４ｂにより大腿部を持ち上げられているため、無理のない楽な排泄時に力の入り易い姿勢を取ることができる。また、排泄時、要介護者Ｐが男性の場合には尿が尿吸引器３５を通ってビニル袋３４内に回収される一方、要介護者Ｐが女性の場合にはビニル袋３４の足元側部分３４ａ（図５参照）によって尿のビニル袋３４の外部への飛散が防止されると共に、容器３３の底板４６が尿吸引器３５の上昇動作に伴って傾斜姿勢を成す（図６参照）ことによりビニル袋３４に溜まった排泄物を１箇所に簡単に集めることができる。したがって、排泄物の回収作業を容易に行うことができ、介護者の労力の軽減を図ることができる。
【００５５】
要介護者Ｐによる排泄の終了後は、尿吸引器昇降装置３６により尿吸引器３５を降下させると共に、横架材３８を容器３３の上端に沿って足元側の方向にスライドさせて、ビニル袋３４の上方の開口を閉塞させた上で、便器装置４をレール３７に沿ってベッド枠体３の足元側から外側に引き出し、介護者がビニル袋３４の把手４４を各フック３９，４３から取り外し、ビニル袋３４ごと排泄物を所定の場所に廃棄する。
【００５６】
次に、要介護者Ｐの腸内洗浄を行う時に介護用ベッド１の動作について説明すると、腸内洗浄用の操作釦が選択されることにより、上記した要介護者Ｐが排泄する場合と同様に、半身受け部７により要介護者Ｐの上半身部分が起こされると共に、大腿受け部１４ａ，１４ｂにより要介護者Ｐの大腿部が持ち上げられながら左右に開脚される。
【００５７】
また、各枢結部１０ｃ，１１ｃの上昇により左右外側部分１０，１１がそれぞれ山折り形状となり、臀受け部６の左右外側部分１０，１１と上半身受け部７の足元側部分及び左右の大腿受け部１４ａ，１４ｂの頭部側部分との間にそれぞれ隙間が生じる。
【００５８】
さらに、臀受け部収納装置２０により臀受け部９の中央部分９が垂下されて形成された空間に、上記した便器装置４の代わりにレール３７にセットされた容器３３より大容量の容器を備えた便器装置（図示省略）が前記空間までスライドされてセットされる。この状態で、要介護者Ｐの臀部を前記便器装置の台座上に載せ、下腿受け部１５の中央部分１５ｃを取り外すことにより形成された空間に配置した椅子（図示せず）に介護者が着座して姿勢で要介護者Ｐの腸内洗浄を行う。このように、介護者は、腸内洗浄時、マッ体２の上に載って無理な姿勢を取る必要がなく、腸内洗浄作業を容易に行うことができると共に、腸内洗浄作業時にマット等を汚すおそれもない。
【００５９】
介護者による腸内洗浄の終了後、前記便器装置をレール３７に沿ってベッド枠体３の足元側から外側に引き出し、介護者がビニル袋をフックから取り外し、所定の場所に廃棄する。
【００６０】
なお、上記した本発明の実施の形態の説明は、本発明に係る介護用ベッドにおける好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６１】
１          介護用ベッド
２          マット体
３          ベッド枠体
４          便器装置
５          要介護者吊り上げ移動装置
６          臀受け部
７          上半身受け部
８          下半身受け部
１０        左外側部分
１１        右外側部分
１４        大腿受け部
２０        臀受け部収納装置
２２        大腿受け部駆動機構
２９        ロッド
３０        昇降装置
３１        スライド装置
３３        容器
３４        ビニル袋
３５        尿吸引器
３９        頭部側フック
４０        吸引口
４３        足元側フック
４６        底板
４８        支柱
４９        アーム
５０        吊り上げ具
５１        要介護者保持具
５２        鉛直フレーム
５３        吊りロープ
５４        背板
５５        スプリング
５６        ぬいぐるみ
５７        腕部
５９        脚部
６０        大腿受け部
６６，６７  フック部
６８        スポンジ材
７０        ベルト
【要約】
【課題】要介護者が容易且つ楽な姿勢で排便を行い、介護者が腸内洗浄作業を容易に行う。
【解決手段】本発明に係る介護用ベッド１は、要介護者Ｐの臀部を支持する臀受け部６と、前記臀部より上半身部分を支持する上半身受け部７と、前記臀部より下半身部分を支持する下半身受け部８と、を有するマット体２と、マット体２を支持するベッド枠体３と、臀受け部６が下方に収納されることにより形成される開口部に移動可能な便器装置４と、を備え、下半身受け部８は、要介護者Ｐの大腿部を支持する大腿受け部１４を備え、大腿受け部１４が上昇することにより前記大腿部を持ち上げるように構成されていることを特徴とする。
【選択図】図１【図２】
0004698762.tif 000002
【図３】
0004698762.tif 000003
【図４】
0004698762.tif 000004
【図５】
0004698762.tif 000005
【図６】
0004698762.tif 000006
【図７】
0004698762.tif 000007
【図８】
0004698762.tif 000008
【図１】
0004698762.tif 000009